(57)【要約】   【課題】出隅部又は入隅部用に形成される軒樋の対向する一対の底板を確実に対称の角度で断面切断できる軒樋用切断冶具を提供する。 【解決手段】軒樋用切断冶具２１は軒樋２２の底板２２ｃを任意の角度αで断面切断する冶具であり、第一水平部２３と第一垂直部２４からなる上部材２５と、第二水平部２６と第二垂直部２７からなる下部材２８とで形成される。第一垂直部２４に垂直方向に長い長孔２４ａを備え、第二垂直部２７にボルト３０ａを挿入する丸穴２７ａを備える。第二水平部２６に備えるネジ孔２６ａに支持棒２９としてのボルトが第一水平部２３に対して近接自在に立設される。第一水平部２３に沿って切断ガイド板３２は回転中心に備える第二固定具３３で任意の角度αで固定される。この切断ガイド板に沿って切断刃Ｇが移動することで底板２２ｃが切断される。【選択図】  図１
2010196309.tif 000002
【特許請求の範囲】
【請求項１】
前板と後板と底板で形成される断面凹状の軒樋の前記底板を任意の角度で断面切断する軒樋用切断冶具であって、
この軒樋用切断冶具は、第一水平部と第一垂直部からなる上部材と、第二水平部と第二垂直部からなる下部材と、が第一垂直部と第二垂直部に第一水平部と第二水平部との間隙をスライド自在に固定する第一固定具を備えて断面コ字状に形成され、
前記第二水平部に支持棒が前記第一水平部に対して近接自在に立設され、この支持棒の先端部で前記軒樋の底板を前記第一水平部に押付けた状態で前記軒樋の前板又は後板が第一垂直部又は第二垂直部に当接し、
第一水平部に沿って回転自在の切断ガイド板がその回転中心に備える第二固定具で第一水平部に第一角度位置として固定され、この切断ガイド板に沿って切断刃がガイドされて前記底板が切断される一方で、第一水平部における第一垂直部と直交する中心線に対して第二固定具の位置と対称の位置に第三固定具で前記切断ガイド板を第二角度位置として固定し前記切断ガイド板に沿って前記切断刃で前記底板が対称的に切断されることを特徴とする軒樋用切断冶具。
【請求項２】
請求項１に記載の軒樋用切断冶具であって、第一垂直部と第一水平部が交わる交線に対して前記切断ガイド板の第一角度位置又は第二角度位置を設定する分度器を備えることを特徴とする軒樋用切断冶具。
【請求項３】
請求項１又は請求項２に記載の軒樋用切断冶具であって、前記支持棒を複数組備えることを特徴とする軒樋用切断冶具。
【請求項４】
請求項１乃至請求項３のいずれか一項に記載の軒樋用切断冶具であって、前記支持棒は軒樋用切断冶具の外部側に突出しないように前記第二水平部に立設されることを特徴とする軒樋用切断冶具。
【発明の詳細な説明】
【技術分野】
【０００１】
本発明は、建築物の出隅部又は入隅部に設けられる軒樋を形成するため、一対の軒樋の互いに対向する断面を正確な位置で切断する軒樋用切断冶具の技術に関する。
【背景技術】
【０００２】
従来、建築物の出隅部又は入隅部に設ける軒樋を形成するため、一対の軒樋の互いに対向する断面を正確な位置で切断する軒樋用切断冶具として特許文献１の記載が知られている。特許文献１によれば、図６、図７に示すように、軒樋切断治具１は軒樋６を屋根のコーナー部に沿った状態で連結させるため切断する際に用いるもので、出隅部のコーナー角度はθ＝略９０°である。
【０００３】
軒樋切断治具１は、平面視台形状の底壁２から前側壁３が起立するとともに後側壁４が起立している。この底壁２、前側壁３及び後側壁４の内周全面５は軒樋６の外周面に沿うように形成され、軒樋切断治具１が軒樋６を外側から挟着可能となっている。前側壁３及び後側壁４の上端縁部８は断面コ字形状に外側に向けて突出形成され、内側がガイド溝９となっている。また、軒樋切断治具１は長手方向に両端部１１が形成され、両端部１１の連続する底壁２、前側壁３、後側壁４、上端縁部８は平面視角度＝略θ／２、すなわち略４５°となっている。
【０００４】
ここで、軒樋６は、直線状に延びた底壁１３の前側部から前側壁１４が起立するとともに、後側部からは後側壁１５が起立して形成されている。前側壁１４の上端縁部１７は断面略矩形状に屈曲され、後側壁１５の上端縁部１９は外側に向けて屈曲されて断面矩形状に突出形成されている。
【０００５】
軒樋６を軒樋切断治具１を用いて切断するには、まず軒樋６を軒樋切断治具１の内周全面５に沿わせるようにスライド装着する。そして、軒樋切断治具１の端部１１に軒樋６の所望の切断位置に合わせて端部１１にのこぎり等の図示しない切断具の刃を沿わせて軒樋６を切断する。両方の端部１１に沿って切断した軒樋６は平面視角度θ／２＝略４５°で対称的に切断された軒樋６ａ、６ｂが形成される。この軒樋６ａ、６ｂを切断されたそれぞれの切断内周縁６ｃを当接して接着固定する。これによって、軒樋６ａ、６ｂの交差角度はθ＝略９０°となる。
【先行技術文献】
【特許文献】
【０００６】
【特許文献１】特開２００５−１４６７４４号公報
【発明の概要】
【発明が解決しようとする課題】
【０００７】
ところが、図６に示す軒樋切断治具１では、屋根のコーナー部の出隅角度がθ＝略９０°の一種類の軒樋のみに用いられるものであり、入隅を含む他の角度や断面形状の異なる軒樋を切断する際にはそれぞれの角度や大きさに対応する軒樋切断治具１が複数組必要となるため、汎用性に劣るという課題があった。
【０００８】
上記の課題を解決するために、本発明は多種類の軒樋に適用できて軒樋の互いに対向する一対の断面を正確な位置で確実に切断する軒樋用切断冶具に関し、特に、軒樋断面凹状の軒樋の一対の底板を任意の角度で確実に断面切断できる技術に関する。
【課題を解決するための手段】
【０００９】
請求項１の発明は、前板と後板と底板で形成される断面凹状の軒樋の前記底板を任意の角度で断面切断する軒樋用切断冶具であって、この軒樋用切断冶具は、第一水平部と第一垂直部からなる上部材と、第二水平部と第二垂直部からなる下部材と、が第一垂直部と第二垂直部に第一水平部と第二水平部との間隙をスライド自在に固定する第一固定具を備えて断面コ字状に形成される。そして、前記第二水平部に支持棒が前記第一水平部に対して近接自在に立設され、この支持棒の先端部で前記軒樋の底板を前記第一水平部に押付けた状態で前記軒樋の前板又は後板が第一垂直部又は第二垂直部に当接する。また、第一水平部に沿って回転自在の切断ガイド板がその回転中心に備える第二固定具で第一水平部に第一角度位置として固定され、この切断ガイド板に沿って切断刃がガイドされて前記底板が切断される一方で、第一水平部における第一垂直部と直交する中心線に対して第二固定具の位置と対称の位置に第三固定具で前記切断ガイド板を第二角度位置として固定し前記切断ガイド板に沿って前記切断刃で前記底板が対称的に切断されることを特徴としている。
【００１０】
請求項２の発明は、請求項１に記載の軒樋用切断冶具であって、第一垂直部と第一水平部が交わる交線に対して前記切断ガイド板の第一角度位置又は第二角度位置を設定する分度器を備えることを特徴としている。
【００１１】
請求項３の発明は、請求項１又は請求項２に記載の軒樋用切断冶具であって、前記支持棒を複数組備えることを特徴としている。
【００１２】
請求項４の発明は、請求項１乃至請求項３のいずれか一項に記載の軒樋用切断冶具であって、前記支持棒は軒樋用切断冶具の外部側に突出しないように前記第二水平部に立設されることを特徴としている。
【発明の効果】
【００１３】
請求項１の発明によれば、この軒樋用切断冶具は、第一水平部と第一垂直部からなる上部材と、第二水平部と第二垂直部からなる下部材と、が第一垂直部と第二垂直部に第一水平部と第二水平部との間隙をスライド自在に固定する第一固定具を備えて断面コ字状に形成されるので、軒樋の高さと幅に調整余裕が得られるので多種類の軒樋に適用できる。
【００１４】
第一水平部に沿って回転自在の切断ガイド板がその回転中心に備える第二固定具で第一水平部に第一角度位置として固定されるので、この切断ガイド板に沿って切断刃が確実にガイドされるので軒樋の前記底板が正確な位置で切断される。さらに、第一水平部における第一垂直部と直交する中心線に対して第二固定具の位置と対称の位置に第三固定具で前記切断ガイド板を第二角度位置として固定し前記切断ガイド板に沿って前記切断刃で軒樋の前記底板が対称的に正確な位置で切断される。このように、一対の前記底板を任意の角度且つ対称の位置で確実に切断されるので一対の切断面を正確に固着することができる。より詳しくは、切断後の突き合せ精度が求められる前記底板を前記切断ガイド板に沿って正確に切断した後に、別途、軒樋の前板と後板は前記底板の切断面と同一面内で底面に対して直角に切断し、完全に軒樋が断面切断されてから一対の切断面が固着される。
【００１５】
請求項２の発明によれば、第一垂直部と第一水平部が交わる交線に対して前記切断ガイド板の第一角度位置又は第二角度位置を設定する分度器を備えるので、対称的な任意の位置を容易に確定して確実に切断できる。
【００１６】
請求項３の発明によれば、前記支持棒を複数組備えるので軒樋を安定して軒樋用切断冶具に固定できるので、前記底板の切断作業が安定するので切断面の切断品質が向上するので、一対の切断面を接合する際に雨漏り無く確実に接合できる。
【００１７】
請求項４の発明によれば、前記支持棒は軒樋用切断冶具の外部側に突出しないように前記第二水平部に立設されるので、前記第二水平部を作業台に載せた状態で軒樋用切断冶具にガタツキが生じないので、前記底板の切断作業が安定するので請求項３の発明の効果と同様の効果がさらに確実に得られる。
【図面の簡単な説明】
【００１８】
【図１】本発明の第１の実施形態における、軒樋用切断冶具２１を用いて軒樋２２の底板２２ｃを切断する状態を示す斜視図である。
【図２】本発明の第１の実施形態における、図１のＡ−Ａ断面図である。
【図３】本発明の第１の実施形態における、図１のＢ−Ｂ矢視図である。
【図４】本発明の第１の実施形態における、切断された一対の軒樋２２が組立てられた状態を示す斜視図である。
【図５】本発明の第２の実施形態における、図１のＡ−Ａ断面図に対応する断面図である。
【図６】従来の、軒樋６を切断する軒樋用切断冶具１の斜視図である。
【図７】従来の、切断された一対の軒樋６ａ、６ｂが組立てられた状態を示す斜視図である。
【発明を実施するための形態】
【００１９】
以下に、本発明の第１の実施形態を図１〜図４に基づいて説明する。
【００２０】
＜軒樋用切断冶具の構成＞
図１、図２、図３に示すように、軒樋用切断冶具２１は断面凹状の軒樋２２の底板２２ｃを任意の角度αで断面切断する冶具であり、軒樋２２は前板２２ａと後板２２ｂと底板２２ｃで形成され、前板２２ａと後板２２ｂの上端縁部は断面コ字形状に外側に向けて突出する形状である。軒樋用切断冶具２１は、第一水平部２３と第一垂直部２４からなる上部材２５と、第二水平部２６と第二垂直部２７からなる下部材２８とで形成され、ボルト３０ａとナット３０ｂから成る第一固定具３０によって断面コ字状に形成することができる。
【００２１】
第一垂直部２４に垂直方向に長い長孔２４ａを二組備え、第二垂直部２７にはボルト３０ａを挿入する丸穴２７ａを二組備える。このため、丸穴２７ａに挿入したボルト３０ａを長孔２４ａに挿入し第一垂直部２４の外側からナット３０ｂで螺合させることで、第一水平部２３と第二水平部２６を任意の垂直間隙までスライドして固定することができる。
【００２２】
第二水平部２６にネジ孔２６ａを備え、このネジ孔２６ａに挿入されて支持棒２９としてのボルトが第一水平部２３に対して近接離反自在に立設される。このため、二組の支持棒２９の先端部２９ａで軒樋２２の底板２２ｃを第一水平部２３に押付けて固定することができる。このとき同時に軒樋２２の後板２２ｂが第二垂直部２７における第一固定具３０のボルト３０ａの頭３０ｃに当接する。
【００２３】
第一水平部２３に沿って回転自在に切断ガイド板３２が設けられ、切断ガイド板３２は回転中心に備える第二固定具３３としての第一ボルト３３ａと第一ナット３３ｂで任意の角度αで第一水平部２３に第一角度位置として固定される。第二固定具３３の取付位置は第一水平部２３における第一垂直部２４の一端部近傍位置に形成される。この切断ガイド板３２に沿って切断刃Ｇが移動することで底板２２ｃが切断される。なお、角度αは平面視で軒樋２２の後板２２ｂと底板２２ｃで形成される角部２２ｄに対する切断角度である。
【００２４】
切断ガイド板３２の角度αを設定するために分度器３４が用いられる。分度器３４はその中心に回転自在の保持棒３４ａを備え、保持棒３４ａを切断ガイド板３２に沿わせた状態で分度器３４の一辺３４ｂを角部２５ａに沿わせて、保持棒３４ａの先端に備える指示針３４ｃが分度器３４の所定の目盛りを指し示すことによって切断ガイド板３２を軒樋２２に対する所定の角度αに宛がうことができる。
【００２５】
ここで、第一垂直部２４は中央部の上端部２４ｂが第一水平部２３より突出して形成されるので、分度器３４を沿わせて安定して使用することができる。そして、第一水平部２３における第一垂直部２４と直交する中心線Ｈに対して第二固定具３３の位置と対称の第二角度位置に第三固定具３５で切断ガイド板３２を固定し切断ガイド板３２に沿って切断刃Ｇで底板２２ｃが対称的に切断される。
【００２６】
切断ガイド板３２は第二固定具３３と第三固定具３５において共用することができる。また、切断ガイド板３２は不使用時には第一水平部２３に第二固定具３３又は第三固定具３５で固定されるが、切断ガイド板３２を取外してもよい。
【００２７】
最終的に、軒樋２２の前板２２ａと後板２２ｂは、切断された底板２２ｃの切断面と同一面内で底面２２ｃに対して直角に切断刃によって別途切断することで軒樋２２は断面切断される。
【００２８】
＜軒樋用切断冶具の作用＞  
軒樋用切断冶具２１は、第一垂直部２４に垂直方向に長い長孔２４ａを二組備え、第二垂直部２７にはボルト３０ａを挿入する丸穴２７ａを二組備える。このため、丸穴２７ａに挿入したボルト３０ａを長孔２４ａに挿入し第一垂直部２４の外側からナット３０ｂで螺合させることで、第一水平部２３と第二水平部２６を任意の垂直間隙にスライドして固定することができる。このため、高さや大きさ、形状の異なる多種類の軒樋に共通して用いることができるので汎用性が向上する。
【００２９】
第二水平部２６にネジ孔２６ａを備え、このネジ孔２６ａに挿入されて支持棒２９としてのボルトが第一水平部２３に対して近接離反自在に立設される。このため、二組の支持棒２９の先端部２９ａで軒樋２２の底板２２ｃを第一水平部２３に押付けて安定して固定することができる。なお、同時に軒樋２２の後板２２ｂが第二垂直部２７における第一固定具３０のボルト３０ａの頭３０ｃに当接する。そして、軒樋２２は二組のボルトと第一固定具３０のボルト３０ａとで安定して保持できるので切断作業が安定するため確実且つ正確な切断面が得られる。このため、底板２２ｃの切断面と同一面内で軒樋２２の前板２２ａと後板２２ｂを別途切断する際に、軒樋２２は切断刃によって底面２２ｃに対して直角な切断面が容易に得られる。
【００３０】
第一水平部２３に沿って回転自在に切断ガイド板３２が設けられ、切断ガイド板３２は回転中心に備える第二固定具３３としての第一ボルト３３ａと第一ナット３３ｂで角度αで第一水平部２３に固定される。このように、切断ガイド板を任意の水平角度に容易に設定できるので汎用性が向上する。第三固定具３５に関しても同様の効果が得られる。
【００３１】
第一垂直部２４と第一水平部２３が交わる角部２５ａに対する切断ガイド板３２の角度αを設定するために分度器３４が用いられるので、軒樋２２の所望の切断する角度位置を容易に設定できる。支持棒２９を二組備えるので、軒樋２２の切断時に安定して軒樋２２を軒樋用切断冶具２１に固定できるので、切断精度が向上する。なお、軒樋用切断冶具２１は工場内や現場でも使用できる。
【００３２】
＜第２の実施形態＞
本発明の第２の実施形態を図５を用いて説明するが、図２に示す外装パネル用役物の取付冶具の構成と同構成部分については、図面に同符号を付して重複した説明を省略する。
【００３３】
図５に示すように、支持棒２９が軒樋用切断冶具２１の外部側に突出しないように第二水平部２６にナット４０が固着され、このナット４０を介して支持棒２９は第二水平部２６に立設されるので、支持棒２９はその中間部を図示しない工具を用いて回転させることで軒樋を上下移動できる。同様に、ボルト３３ａ、３０ａを第一水平部と第二垂直部から突出しないように固着することにより、軒樋２２は第一水平部と第二垂直部に安定して保持されるとともに、軒樋用切断冶具２１は図示しない作業台等に安定して置く事ができるので、切断作業が安定して切断性が向上する。
【００３４】
以上、本発明の実施例を図面に基づいて説明したが、具体的な構成はこの実施例に限られるものではなく本発明の要旨を逸脱しない範囲の設計変更等があっても本発明に含まれる。
【００３５】
例えば、分度器３４を使用しない場合には、第一水平部２３に切断ガイド板３２の所定の複数の角度αを位置表示しておけば分度器３４を使用しなくてもよい。支持棒２９は一組を用いる構成でも構わない。支持棒２９の先端部２９ａで軒樋２２の底板２２ｃを第一水平部２３に押付けて固定する際に、軒樋２２の前板２２ａが第一垂直部２４に当接する場合もある。
【符号の説明】
【００３６】
２１  軒樋用切断冶具
２２  軒樋
２２ｃ  底板
２３  第一水平部
２４  第一垂直部
２４ａ  長孔
２５  上部材
２６  第二水平部
２６ａ  ネジ孔
２７  第二垂直部
２７ａ  丸穴
２８  下部材
３０  支持棒
３０ａ  ボルト
３２  切断ガイド板
３３  第二固定具
α  角度
Ｇ  切断刃
【図１】
2010196309.tif 000003
【図２】
2010196309.tif 000004
【図３】
2010196309.tif 000005
【図４】
2010196309.tif 000006
【図５】
2010196309.tif 000007
【図６】
2010196309.tif 000008
【図７】
2010196309.tif 000009